(57)【要約】      （修正有）【課題】全ての歯周ポケットの深度を正確に測定することができる歯周ポケット深度測定装置を提供する。【解決手段】歯周ポケットの深度を測定する歯周ポケット深度測定装置１は、棒状の本体部１０と、歯周ポケットに挿入される板状の先端部２１と、本体部１０に取り付けられる取付部２２と、を備えるプローブ２０と、を有する。取付部２２は、本体部１０に対して先端部２１の板状の平面と平行な回転軸を中心に回転可能に取り付けられる。深度を測定したい歯周ポケットにプローブ２０を挿入する場合において、口腔における先端部２１を挿入する歯周ポケットの位置に応じて、本体部１０に対して回転軸を回転中心としてプローブ２０を回転させることにより、歯牙、歯肉又は口唇等に遮げられることなく、プローブ２０の先端部２１を最適な角度で歯周ポケットに挿入することが可能になる。【選択図】図１
0003230222.tif 000002
【実用新案登録請求の範囲】
【請求項１】
歯周ポケットの深度を測定する歯周ポケット深度測定装置であって、
棒状の本体部と、
歯周ポケットに挿入される板状の先端部と、前記本体部に取り付けられる取付部と、を備えるプローブと、
を有し、
前記取付部は、
前記本体部に対して前記先端部の板状の平面と平行な回転軸を中心に回転可能に取り付けられる、
ことを特徴とする歯周ポケット深度測定装置。
【請求項２】
前記本体部は、
係合凹部を備え、
前記取付部は、
弾性変形可能であると共に、前記係合凹部に対して回転可能に係合する係合凸部を備え、
前記係合凸部は、
前記本体部に対する前記プローブの取付方向側に設けられると共に前記取付方向に向けて傾斜する傾斜部と、前記取付方向側と反対方向側に設けられると共に前記係合凹部に係合して前記取付部の前記反対方向への移動を規制する壁部と、を備え、前記取付部の弾性力によって前記係合凹部に係合する、
ことを特徴とする請求項１記載の歯周ポケット深度測定装置。
【請求項３】
前記本体部は、
係合凸部を有する弾性変形可能な接続部を備え、
前記取付部は、
前記係合凸部に対して回転可能に係合する係合凹部を備え、
前記係合凸部は、
前記接続部の弾性力によって前記係合凹部に係合する、
ことを特徴とする請求項１記載の歯周ポケット深度測定装置。
【請求項４】
前記本体部と前記プローブとを互いに移動自在に連結する前記本体部及び前記プローブと一体の連結部を有する、
ことを特徴とする請求項１から請求項３のいずれかに記載の歯周ポケット深度測定装置。
【請求項５】
前記取付部は、
前記本体部に対して前記回転軸を中心に回転した際に前記本体部に圧接する圧接部を備える、
ことを特徴とする請求項１から請求項４のいずれかに記載の歯周ポケット深度測定装置。
【請求項６】
前記先端部は、
前記平面の一面に設けられると共に先端から前記本体部側に延設される凹溝部と、前記平面の前記一面の反対面において幅方向に延設されると共に外方に突出する突出部と、を備える、
ことを特徴とする請求項１から請求項５のいずれかに記載の歯周ポケット深度測定装置。
【考案の詳細な説明】
【技術分野】
【０００１】
本考案は、歯周ポケットの深度を測定する歯周ポケット深度測定装置に関する。
【背景技術】
【０００２】
近年、国民の多くが自覚症状のないままに歯周病や糖尿病に罹患しているとの報告がある。特に歯周病は、歯茎が腫れて出血する、口臭、又は歯がグラグラする等の自覚症状があってから治療を始めるのでは遅すぎる病気であり、放置すれば確実に歯が抜ける恐い病気である。一方、歯周ポケットの深さ又は歯牙の動揺度検査により歯周病の概要を把握することが可能である。
【０００３】
従来、歯周ポケットに挿入されるプローブを有する歯周ポケット深度測定装置を用いて、歯周ポケットの深さを測定することが行われている。このような歯周ポケット深度測定装置では、歯周ポケットにプローブを挿入し、プローブに設けられた目盛りにより歯周ポケットの深さを測定する。
【考案の概要】
【考案が解決しようとする課題】
【０００４】
しかしながら、従来の歯周ポケット深度測定装置においては、歯牙の内周側又は奥歯の歯周ポケットの深度を測定する際に、手前の歯牙又は口唇等が邪魔になって歯周ポケットにプローブを斜めに挿入せざるを得ない場合があり、この場合には歯周ポケットの深度を正確に測定することができないという課題を有する。
【０００５】
本考案の目的は、全ての歯周ポケットの深度を正確に測定することができる歯周ポケット深度測定装置を提供することである。
【課題を解決するための手段】
【０００６】
本考案に係る歯周ポケット深度測定装置は、歯周ポケットの深度を測定する歯周ポケット深度測定装置であって、棒状の本体部と、歯周ポケットに挿入される板状の先端部と、前記本体部に取り付けられる取付部と、を備えるプローブと、を有し、前記取付部は、前記本体部に対して前記先端部の板状の平面と平行な回転軸を中心に回転可能に取り付けられる。
【０００７】
深度を測定したい歯周ポケットにプローブを挿入する場合において、口腔における先端部を挿入する歯周ポケットの位置に応じて、本体部に対して回転軸を回転中心としてプローブを回転させることにより、歯牙、歯肉又は口唇等に遮られることなく、プローブの先端部を最適な角度で歯周ポケットに挿入することが可能になる。
【考案の効果】
【０００８】
本考案によれば、全ての歯周ポケットの深度を正確に測定することができる。
【図面の簡単な説明】
【０００９】
【図１】本考案の第１の実施形態に係る歯周ポケット深度測定装置の側面図である。
【図２】本考案の第１の実施形態に係る歯周ポケット深度測定装置の平面図である。
【図３】本考案の第１の実施形態に係る歯周ポケット深度測定装置のプローブを可動した状態の平面図である。
【図４】図２のＡ−Ａ断面図。
【図５】本考案の第１の実施形態に係る歯周ポケット深度測定装置の組立前の側面図である。
【図６】本考案の第１の実施形態に係る歯周ポケット深度測定装置のプローブの側面図である。
【図７】本考案の第１の実施形態に係る歯周ポケット深度測定装置のプローブの一部の斜視図である。
【図８】本考案の第１の実施形態に係る歯周ポケット深度測定装置の非可動状態の使用方法を示す図である。
【図９】本考案の第１の実施形態に係る歯周ポケット深度測定装置の可動状態の使用方法を示す図である。
【図１０】本考案の第１の実施形態に係る歯周ポケット深度測定装置を歯周ポケットに挿入した状態の断面模式図である。
【図１１】本考案の第２の実施形態に係る歯周ポケット深度測定装置の組立前の斜視図である。
【図１２】本考案の第２の実施形態に係る歯周ポケット深度測定装置の組立前の本体部の一部及びプローブの一部の斜視図である。
【考案を実施するための形態】
【００１０】
以下、図面を適宜参照して、本考案の実施形態に係る歯周ポケット深度測定装置につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１１】
（第１の実施形態）
＜歯周ポケット深度測定装置の構成＞
本考案の第１の実施形態に係る歯周ポケット深度測定装置１につき、図１から図７を参照しながら、以下に詳細に説明する。
【００１２】
歯周ポケット深度測定装置１は、本体部１０と、プローブ２０と、連結部３０と、を有している。
【００１３】
本体部１０は、棒状であり、歯周ポケット深度測定装置１の使用者の手によって把持されると共に、長手方向に直交する平面で切断した断面形状が六角形等の多角形となっている。なお、本体部１０は、断面形状を多角形にする場合に限らず、断面形状を円形にしてもよい。
【００１４】
具体的には、本体部１０は、歯牙挿入部１１と、接続部１６と、括れ部１８と、を備えている。
【００１５】
歯牙挿入部１１は、本体部１０の後端に設けられていると共に、歯牙を挿入可能であり、長壁部１２と、長壁部１２に対向すると共に長壁部１２よりも後方への突出長さが短い短壁部１３と、長壁部１２と短壁部１３との間に設けられる溝部１４と、を備えている。
【００１６】
接続部１６は、本体部１０の前端に設けられていると共に、プローブ２０と接続可能であり、図１に示す側面視で二股形状になっている。接続部１６には、上下方向に貫通する貫通孔である係合凹部１７が形成されている（図４参照）。
【００１７】
括れ部１８は、本体部１０の歯牙挿入部１１と接続部１６との間に形成されている。
【００１８】
プローブ２０は、板状であり、歯周ポケットに挿入される。具体的には、プローブ２０は、先端部２１と、取付部２２と、山形部２３と、を備えている。
【００１９】
先端部２１は、歯周ポケットに挿入され、平坦面２１１と、目盛り部２１２と、凹溝部２１３と、側面２１４と、先端面２１５と、傾斜面２１６と、突出部２１７と、溝部３０３と、を備えている。
【００２０】
平坦面２１１は、平坦な平面であり、先端部２１の左右両側面に形成されている。平坦面２１１は、図７に示すように、本体部１０側から先端に向かって、先端部２１を徐々に肉薄にすることにより緩やかに傾斜している。
【００２１】
目盛り部２１２は、平坦面２１１の先端側から本体部１０側に向けて所定間隔で複数設けられている。目盛り部２１２の各々は、平坦面２１１の幅方向に延設されると共に外方に突出して山形状になっている。
【００２２】
凹溝部２１３は、先端部２１の先端から本体部１０側に延設されると共に延設方向に向かって幅狭になっている。
【００２３】
側面２１４は、先端部２１の左右両側面に形成されている平坦面２１１同士を接続している。
【００２４】
先端面２１５は、平坦面２１１と、側面２１４と、を接続している。
【００２５】
傾斜面２１６は、側面２１４と先端面２１５との接続部を面取りすることにより形成されている。
【００２６】
突出部２１７は、図７に示すように、先端部２１の左右両側面に形成されている各々の平坦面２１１において先端部２１の幅方向に延設されていると共に外方に突出している。
【００２７】
溝部３０３は、先端部２１の幅方向に延設されていると共に凹設されている。
【００２８】
取付部２２は、プローブ２０の後端に設けられており、本体部１０の接続部１６に回転自在に取り付けられる。取付部２２は、薄肉部２２２と、係合凸部２２３と、を備えている。
【００２９】
薄肉部２２２は、取付部２２の後端に設けられており、上下方向において取付部２２の他の部分よりも薄肉である。
【００３０】
係合凸部２２３は、薄肉部２２２の上面から上方に突出しており、本体部１０の接続部１６の係合凹部１７に対して回転可能に圧入されて係合する。係合凸部２２３は、本体部１０に対するプローブ２０の取付方向（図４において右方向）側に設けられると共に取付方向に向けて傾斜する傾斜部２２４と、取付方向側と反対方向（図４において左方向）側に設けられると共に係合凹部１７に係合して取付部２２の反対方向への移動を規制する壁部２２５と、を備えている。
【００３１】
山形部２３は、先端部２１と取付部２２との間に設けられていると共に、上方に凸となっている。
【００３２】
連結部３０は、本体部１０とプローブ２０とを互いに移動自在に連結すると共に、本体部１０の接続部１６及びプローブ２０の接続部２２と一体に形成されている。
【００３３】
上記の構成を有する歯周ポケット深度測定装置１は、合成樹脂によって形成されている。歯周ポケット深度測定装置１を形成している合成樹脂は、例えばスチレン系・エラストマー、ポリエステル・エラストマー、シリコンゴム、ポリエチレン又は塩化ビニルである。
【００３４】
＜歯周ポケット深度測定装置の組立方法＞
本考案の第１の実施形態に係る歯周ポケット深度測定装置１の組立方法につき、以下に詳細に説明する。
【００３５】
本体部１０とプローブ２０とが分離した状態において、図５に示すように、本体部１０とプローブ２０とは、連結部３０によって連結されている。本体部１０に対してプローブ２０を取り付ける前の状態において、本体部１０とプローブ２０とは連結部３０によって連結されているため、本体部１０及びプローブ２０の何れか一方を紛失してしまうことを防ぐことができる。
【００３６】
図５に示す状態において、プローブ２０の取付部２２を、本体部１０の接続部１６の二股の間に挿入する。
【００３７】
取付部２２を接続部１６の二股の間に挿入する過程において、薄肉部２２２は、係合凸部２２３が接続部１６により下方に押圧されることにより下方に弾性変形しながら接続部１６の二股の間に挿入される。この際に、係合凸部２２３の傾斜部２２４が接続部１６に摺接するため、取付部２２を接続部１６の二股の間に容易に挿入することができる。また、取付部２２の薄肉部２２２を上下方向において取付部２２の薄肉部２２２以外の部分よりも薄肉にすることにより、係合凸部２２３が接続部１６に押圧された際に薄肉部２２２を容易に弾性変形させることができるため、取付部２２を接続部１６の二股の間に容易に挿入することができる。
【００３８】
そして、係合凸部２２３が係合凹部１７の位置に到達した際に係合凹部１７に圧入されて係合し、これに伴って薄肉部２２２が弾性復帰力によって元の状態に戻ることにより、図４に示す状態となり、歯周ポケット深度測定装置１が完成する。
【００３９】
図４に示す状態では、係合凸部２２３の壁部２２５が係合凹部１７に係合することにより、取付部２２の前方への移動を規制するため、本体部１０からプローブ２０が脱落することを防ぐことができる。
【００４０】
また、係合凸部２２３は、係合凹部１７に係合した状態において、先端部２１の板状の平面である平坦面２１１と平行な図４に示す回転軸Ｐ１を中心に、接続部１６に対して回転可能になっている。これにより、プローブ２０は、係合凸部２２３を中心に、左右側方（図２及び図３において紙面に対して平行な方向）に回転自在になっている。
【００４１】
このように、本体部１０とプローブ２０とを係合凹部１７と係合凸部２２３との凹凸係合によって接続することにより、本体部１０とプローブ２０とを容易に組み立てることができる。
【００４２】
上記の組立方法においては、接続部１６の上方の係合凹部１７に係合凸部２２３を係合したが、これに限らず、接続部１６の下方の係合凹部１７に係合凸部２２３を係合してもよい。
【００４３】
＜歯周ポケット深度測定装置の動作＞
本考案の第１の実施形態に係る歯周ポケット深度測定装置１の動作につき、図８から図１０を参照しながら、以下に詳細に説明する。
【００４４】
まず、プローブ２０の取付部２２を、口腔の深度を測定したい歯周ポケットの位置に応じて、本体部１０の接続部１６に対して左右側方に回転させる。
【００４５】
例えば、図８に示すように、本体部１０とプローブ２０とを図２に示す状態（本体部１０とプローブ２０とのなす角度を０度）にして、プローブ２０の先端部２１を歯牙Ｒ２の外周側の歯周ポケットに挿入する。そして、先端部２１が歯周ポケットの最深部に到達した際に、先端部２１の目盛り部２１２を目視することによって、歯牙Ｒ２の外周側の歯周ポケットの深度を測定する。
【００４６】
また、図９に示すように、本体部１０に対してプローブ２０を所定角度θだけ回転させた状態にして、プローブ２０の先端部２１を歯牙Ｒ３又は歯牙Ｒ４の内周側の歯周ポケットに挿入する。そして、先端部２１が歯周ポケットの最深部に到達した際に、先端部２１の目盛り部２１２を目視することによって、歯牙Ｒ３又は歯牙Ｒ４の内周側の歯周ポケットの深度を測定する。
【００４７】
このように、歯周ポケット深度測定装置１は、全ての歯牙の歯周ポケットの口腔における位置に応じて、本体部１０に対してプローブ２０を回転軸Ｐ１を中心として回転させて歯周ポケットの深度を測定することができる。
【００４８】
これにより、歯周ポケット深度測定装置１は、全ての歯牙の歯周ポケットの深度を歯牙、歯肉又は口唇等に邪魔されることなく測定することができる。
【００４９】
また、先端部２１を本体部１０側から先端に向かって緩やかに傾斜させることにより、歯牙を囲む大部分が筋繊維によって構成されている歯肉の組織に対して、プローブ２０を無抵抗の状態で挿入することができ、プローブ２０を歯周ポケットに容易に挿入することができる。
【００５０】
また、歯周ポケットに歯石Ｑ等が有る場合には、図１０に示すように、先端部２１の平坦面２１１の凹溝部２１３に歯石Ｑがガイドされて入り込む。これにより、先端部２１は、平坦面２１１が歯石Ｑによって押圧されることにより歯肉Ｒ１の表面の歯周靭帯と当接するＳ１方向に押圧されるが、平坦面２１２の突出部２１７が歯周靭帯を介して歯肉Ｒ１を押圧することにより歯牙Ｒ２と当接するＳ２方向に押し戻される。従って、先端部２１を歯肉Ｒ１の表面の歯周靭帯及び歯石Ｑに阻まれることなく歯周ポケットの最深部まで挿入することができ、歯周ポケットの深度を正確に測定することができる。
【００５１】
このように、歯石Ｑを乗り越える際に歯石Ｑに押されることにより外方（Ｓ１方向）に向かう先端部２１を、歯肉Ｒ１の靭帯における歯牙Ｒ２の表面に向かって閉まる方向に作用している力を応用して、歯牙Ｒ２の表面の方向（Ｓ２方向）に戻すために、しならせることができ、屈曲している歯周ポケット内の最深部まで挿入することができる。
【００５２】
また、突出部２１７を平坦面２１１の幅方向に延設して設けることにより、突出部２１７における歯肉Ｒ１との接触面積を大きくすることができるため、先端部２１を歯肉Ｒ１によってより大きな力で押圧することができ、先端部２１を歯牙Ｒ２の方向に戻り易くすることができる。
【００５３】
また、先端部２１は、溝部３０３を備えることによりＳ１方向又はＳ２方向にしなり易いため、歯石Ｑを容易に乗り越えることができると共に、歯肉Ｒ１の歯周靭帯に引っ掛かり難くすることができる。
【００５４】
更に、先端部２１は、歯周ポケットに挿入された場合に傾斜面２１６が歯肉等に当接するため、角部が歯肉等に当接する場合に比べて、痛みを感じることを抑制することができる。
【００５５】
歯周ポケットの深度を測定した後に、プローブ２０は歯周ポケットから抜き取られる。
【００５６】
上記の動作において、係合凸部２２３が係合凹部１７に圧入されて係合しているため、接続部１６に対して取付部２２を、歯周ポケット深度測定装置１の使用者の手によって左右側方に回転させることができる一方で、先端部２１が歯周ポケットに挿入された際等に意図しない外力を受けた場合であっても、取付部２２が左右側方に回転してしまうことを防ぐことができる。
【００５７】
また、歯周ポケットに対して歯周ポケット深度測定装置１を挿入する前又は挿入した後に、本体部１０の歯牙挿入部１１の溝部１４に歯牙を挿入して、長壁部１２と短壁部１３とによって歯牙に負荷を掛けて歯牙の動揺度検査を行うことができる。このように、本体部１１に歯牙挿入部１１を設けることにより、歯周ポケット深度測定装置１によって歯周ポケットの深度の測定と歯牙の動揺度検査との両方を行うことができる。
【００５８】
なお、図１０を用いて説明した上記の動作は、歯石Ｑが歯牙Ｒ２側に付着している場合の動作であるが、歯石Ｑが歯肉Ｒ１側に密接している場合においても、先端部２１の平坦面２１１の凹溝部２１３に歯石Ｑがガイドされて入り込むことにより、プローブ２０は歯石ＱによってＳ２方向に押圧されると共に突出部２１７によってＳ１方向に押し戻される。これにより、先端部２１を歯石Ｑに阻まれることなく歯周ポケットの最深部まで挿入することができ、歯周ポケットの深度を正確に測定することができる。
【００５９】
このように、本実施形態によれば、プローブ２０の取付部２２は、本体部１０に対して先端部２１の板状の平面と平行な回転軸を中心に回転可能に取り付けられることにより、全ての歯周ポケットの深度を正確に測定することができる。
【００６０】
また、本実施形態によれば、本体部１０とプローブ２０とを互いに移動自在に連結する本体部１０及びプローブ２０と一体の連結部３０を有することにより、１つの金型で歯周ポケット深度測定装置１を製造することができる。
【００６１】
なお、本実施形態において、本体部１０の係合凹部１７とプローブ２０の係合凸部２２３とを係合させたが、これに限らず、本体部に係合凸部を設けると共にプローブに本体部の係合凸部と係合する係合凹部を設けてもよい。
【００６２】
また、本実施形態において、取付部２２が回転軸Ｐ１を中心にして所定角度以上回転した際に接続部１６に圧接するようにしてもよい。これにより、先端部２１を歯周ポケットに挿入した場合等において先端部２１に外力が加わった場合であっても、取付部２２を所定角度以上回転した状態で維持することができる。
【００６３】
（第２の実施形態）
＜歯周ポケット深度測定装置の構成＞
本考案の第２の実施形態に係る歯周ポケット深度測定装置２につき、図１０を参照しながら、以下に詳細に説明する。
【００６４】
なお、図１０において図１から図６までと同一構成である部分については同一符号を付して、その説明を省略する。
【００６５】
本実施形態に係る歯周ポケット深度測定装置２は、連結部３０と、本体部４０と、プローブ５０と、を有している。
【００６６】
本体部４０は、棒状であり、歯周ポケット深度測定装置２の使用者の手によって把持されると共に、長手方向に直交する平面で切断した断面形状が六角形等の多角形となっている。なお、本体部４０は、断面形状を多角形にする場合に限らず、断面形状を円形にしてもよい。
【００６７】
具体的には、本体部４０は、歯牙挿入部１１と、接続部４１と、を備えている。
【００６８】
接続部４１は、本体部４０の前端に設けられていると共に、プローブ５０を接続可能であり、側面視で二股形状になっている。接続部４１は、圧接壁４２と、係合凸部４３と、を備えている。
【００６９】
圧接壁４２は、接続部４１に対するプローブ５０の挿入方向Ｓ３と直交する平面である。
【００７０】
係合凸部４３は、接続部４１の二股形状の内側に互いに対向して設けられている。
【００７１】
プローブ５０は、歯周ポケットに挿入される。具体的には、プローブ５０は、先端部５１と、取付部５２と、を備えている。
【００７２】
先端部５１は、板状であると共に歯周ポケットに挿入され、平坦面５１１と、目盛り部５１２と、を備えている。
【００７３】
平坦面５１１は、平坦な平面であり、先端部５１の左右両側面に形成されている。平坦面５１１は、本体部４０側から先端に向かって、先端部５１を徐々に肉薄にすることにより緩やかに傾斜している。
【００７４】
目盛り部５１２は、平坦面５１１の先端側から本体部４０側に向けて所定間隔で複数設けられている。目盛り部５１２の各々は、平坦面５１１の幅方向に延設されると共に外方に突出して山形状になっている。
【００７５】
取付部５２は、本体部４０の接続部４１に接続し、係合凹部５２１と、圧接部５２２と、を備えている。
【００７６】
係合凹部５２１は、上下方向に貫通する貫通孔であり、接続部４１の係合凸部４３に係合する。
【００７７】
圧接部５２２は、取付部５２の側面に設けられており、取付部５２が本体部４０の接続部４１に取り付けられた場合において取付部５２が本体部４０に対して回転軸Ｐ２を中心に回転した際に、本体部４０の圧接壁４２に圧接可能な位置に設けられている。
【００７８】
上記の構成を有する歯周ポケット深度測定装置２は、合成樹脂によって形成されている。歯周ポケット深度測定装置１を形成している合成樹脂は、例えばスチレン系・エラストマー、ポリエステル・エラストマー、シリコンゴム、ポリエチレン又は塩化ビニルである。
【００７９】
＜歯周ポケット深度測定装置の組立方法＞
本考案の第２の実施形態に係る歯周ポケット深度測定装置２の組立方法につき、以下に詳細に説明する。
【００８０】
本体部４０とプローブ５０とが分離した状態において、図１０に示すように、本体部４０とプローブ５０とは、連結部３０によって連結されている。本体部４０に対してプローブ５０を取り付ける前の状態において、本体部４０とプローブ５０とは連結部３０によって連結されているため、本体部４０及びプローブ５０の何れか一方を紛失してしまうことを防ぐことができる。
【００８１】
図１０に示す状態において、プローブ５０の取付部５２を、本体部４０の接続部４１の二股の間に挿入する。
【００８２】
取付部５２により係合凸部４３が外方に押圧されることに伴って、接続部４１の二股部分が互いに離間する方向に弾性変形することにより、取付部５２は接続部４１の二股の間に挿入される。
【００８３】
そして、取付部５２の係合凹部５２１が係合凸部４３の位置に到達した際に係合凸部４３に圧入されて係合し、これに伴って接続部４１の二股部分が弾性復帰力によって元の状態に戻ることにより歯周ポケット深度測定装置２が完成する。
【００８４】
プローブ５０は、係合凸部４３を係合凹部５２１に係合した状態において、先端部５１の板状の平面である平坦面５１１と平行な回転軸Ｐ２を中心に、本体部４０に対して回転可能になっている。これにより、プローブ５０は、係合凸部４３を中心に、左右側方に移動自在になっている。
【００８５】
このように、本体部４０とプローブ５０とを係合凸部４３と係合凹部５２１との凹凸係合によって本体部４０とプローブ５０とを接続することにより、本体部４０とプローブ５０とを容易に組み立てることができる。
【００８６】
＜歯周ポケット深度測定装置の動作＞
本考案の第２の実施形態に係る歯周ポケット深度測定装置２の動作につき、以下に詳細に説明する。
【００８７】
まず、プローブ５０の取付部５２を、口腔の深度を測定したい歯周ポケットの位置に応じて、本体部４０の接続部４１に対して左右側方に回転させる。
【００８８】
この際に、接続部４１に対するプローブ５０の挿入方向Ｓ３に対して、取付部５２を回転軸Ｐ２を中心として所定角度以上回転させた際に、取付部５２の圧接部５２２が本体部４０の圧接壁４２に圧接する。これにより、接続部４１に対して取付部５２を所定角度以上回転させた状態において先端部５１を歯周ポケットに挿入した際等に、先端部５１が歯牙等より外力を受けた場合に、取付部５２が接続部４１に対して回転してしまうことを防ぐことができる。
【００８９】
また、係合凸部４３が係合凹部５２１に圧入されて係合しているため、接続部４１に対して取付部５２を、歯周ポケット深度測定装置２の使用者の手によって左右側方に回転させることができる一方で、先端部５１が歯周ポケットに挿入された際等に意図しない外力を受けた場合であっても、取付部５２が左右側方に回転してしまうことを防ぐことができる。
【００９０】
なお、本実施形態に係る歯周ポケット深度測定装置２の上記以外の動作は上記第１の実施形態に係る歯周ポケット深度測定装置１の動作と同一動作であるので、その説明を省略する。
【００９１】
このように、本実施形態によれば、プローブ５０の取付部５２は、本体部４０に対して先端部５１の板状の平面と平行な回転軸を中心に回転可能に取り付けられることにより、全ての歯周ポケットの深度を正確に測定することができる。
【００９２】
また、本実施形態によれば、本体部４０とプローブ５０とを互いに移動自在に連結する本体部４０及びプローブ５０と一体の連結部３０を有することにより、１つの金型で歯周ポケット深度測定装置２を製造することができる。
【００９３】
なお、本実施形態において、本体部４０の係合凸部４３とプローブ５０の係合凹部５２１とを係合させたが、これに限らず、本体部に係合凹部を設けると共にプローブに本体部の係合凹部と係合する係合凸部を設けてもよい。
【００９４】
また、本実施形態において、先端部５１に先端から本体部４０側に延設されると共に延設方向に向かって幅狭になる凹溝部２１３を設けてもよい。
【００９５】
また、本実施形態において、先端部５１に突出部２１７を設けてもよい。
【００９６】
また、本実施形態において、取付部５２を挿入方向Ｓ３に対して回転軸Ｐ２を中心として所定角度以上回転させた際に、取付部５２の圧接部５２２が本体部４０の圧接壁４２に圧接するようにしたが、これに限らず、圧接部５２２を無くして、取付部５２を圧接壁４２に圧接させないようにしてもよい。この場合には、歯周ポケット深度測定装置２をより簡易な構成にすることができる。
【００９７】
本考案は、部材の種類、配置、個数等は前述の実施形態に限定されるものではなく、その構成要素を同等の作用効果を奏するものに適宜置換する等、考案の要旨を逸脱しない範囲で適宜変更可能であることはもちろんである。
【産業上の利用可能性】
【００９８】
本考案に係る歯周ポケット深度測定装置は、歯周ポケットの深度を測定するのに好適である。
【符号の説明】
【００９９】
１  歯周ポケット深度測定装置
２  歯周ポケット深度測定装置
１０  本体部
１１  歯牙挿入部
１２  長壁部
１３  短壁部
１４  溝部
１６  接続部
１７  係合凹部
１８  括れ部
２０  プローブ
２１  先端部
２２  取付部
２３  山形部
３０  連結部
４０  本体部
４１  接続部
４２  圧接壁
４３  係合凸部
５０  プローブ
５１  先端部
５２  取付部
２１１  平坦面
２１２  目盛り部
２１３  凹溝部
２１４  側面
２１５  先端面
２１６  傾斜面
２１７  突出部
２２２  薄肉部
２２３  係合凸部
２２４  傾斜部
２２５  壁部
３０３  溝部
５１１  平坦面
５１２  目盛り部
５２１  係合凹部
５２２  圧接部
Ｐ１  回転軸
Ｐ２  回転軸
Ｑ  歯石
Ｒ１  歯肉
Ｒ２  歯牙
Ｒ３  歯牙
Ｒ４  歯牙
【図１】
0003230222.tif 000003
【図２】
0003230222.tif 000004
【図３】
0003230222.tif 000005
【図４】
0003230222.tif 000006
【図５】
0003230222.tif 000007
【図６】
0003230222.tif 000008
【図７】
0003230222.tif 000009
【図８】
0003230222.tif 000010
【図９】
0003230222.tif 000011
【図１０】
0003230222.tif 000012
【図１１】
0003230222.tif 000013
【図１２】
0003230222.tif 000014